(57)【要約】【課題】テレビ番組等を視聴する視聴者の属性情報や登録傾向情報を、ソフトウエアＩＤを基に収集する視聴情報収集システム、視聴情報収集方法及び視聴情報収集プログラムを提供する。【解決手段】ソフトウエアを携帯端末１に送信し、属性情報と登録傾向情報を受信する情報処理装置通信部と、それらの情報を受信した場合にソフトウエアＩＤを生成するソフトウエアＩＤ生成部と、属性情報、登録傾向情報、ソフトウエアＩＤを記憶する情報処理装置記憶部を有する。また、ソフトウエアＩＤを携帯端末１に送信する情報処理装置通信部と、携帯端末１からソフトウエアＩＤと操作情報を受信する端末通信装置通信部と、操作情報をテレビ装置に出力する操作情報出力部を有する。また、属性情報、登録傾向情報、操作情報、ソフトウエアＩＤを視聴情報として記録するデータベース装置記憶部と、視聴情報を視聴結果収集装置８に送信するデータベース装置通信部を有する。【選択図】図１
2006186664.tif 000002
【特許請求の範囲】
【請求項１】
テレビ装置で放送されるテレビ番組やテレビＣＭについての情報を、前記テレビ装置の制御を行う携帯端末から収集する視聴情報収集システムであって、
前記視聴情報を収集するためのソフトウエアを、前記携帯端末に送信する第１の情報処理装置通信部と、
前記第１の情報処理装置通信部からのソフトウエアの送信に対して、前記携帯端末から送信される属性情報と登録傾向情報を受信する第２の情報処理装置通信部と、
前記第２の情報処理装置通信部が属性情報と登録傾向情報を受信した場合に、前記携帯端末に固有のソフトウエアＩＤを生成するソフトウエアＩＤ生成部と、
前記第２の情報処理装置通信部が受信する属性情報と登録傾向情報と、前記ソフトウエアＩＤ生成部が生成するソフトウエアＩＤを記憶する情報処理装置記憶部と、
前記ソフトウエアＩＤ生成部が生成したソフトウエアＩＤを前記携帯端末に送信する第３の情報処理装置通信部と、
前記第３の情報処理装置通信部からソフトウエアＩＤを送信した後に、前記携帯端末からソフトウエアＩＤと、前記携帯端末の操作情報を受信する端末通信装置通信部と、
前記端末通信装置通信部が受信した操作情報を前記テレビ装置に出力することにより、前記テレビ装置の制御を行う操作情報出力部と、
前記情報処理装置記憶部に記録されている属性情報、登録傾向情報と、前記端末通信装置通信部が受信する操作情報を、ソフトウエアＩＤに関連付けて視聴情報として記録するデータベース装置記憶部と、
前記データベース装置記憶部が記憶する視聴情報を、前記テレビ番組やテレビＣＭを制作する事業者が使用する視聴結果収集装置に送信するデータベース装置通信部と、
を有することを特徴とする視聴情報収集システム。
【請求項２】
録画装置で録画されるテレビ番組やテレビＣＭについての情報を、前記録画装置の制御を行う携帯端末から収集する視聴情報収集システムであって、
前記録画情報を収集するためのソフトウエアを、前記携帯端末に送信する第１の情報処理装置通信部と、
前記第１の情報処理装置通信部からのソフトウエアの送信に対して、前記携帯端末から送信される属性情報と登録傾向情報を受信する第２の情報処理装置通信部と、
前記第２の情報処理装置通信部が属性情報と登録傾向情報を受信した場合に、前記携帯端末に固有のソフトウエアＩＤを生成するソフトウエアＩＤ生成部と、
前記第２の情報処理装置通信部が受信する属性情報と登録傾向情報と、前記ソフトウエアＩＤ生成部が生成するソフトウエアＩＤを記憶する情報処理装置記憶部と、
前記ソフトウエアＩＤ生成部が生成したソフトウエアＩＤを前記携帯端末に送信する第３の情報処理装置通信部と、
前記第３の情報処理装置通信部からソフトウエアＩＤを送信した後に、前記携帯端末からソフトウエアＩＤと、前記携帯端末の録画情報を受信する第４の情報処理装置通信部と、
前記第４の情報処理装置通信部が受信した録画情報を前記録画装置に出力することにより、前記録画装置の制御を行う操作情報出力部と、
前記情報処理装置記憶部に記録されている属性情報、登録傾向情報と、前記第４の情報処理装置通信部が受信する録画情報を、ソフトウエアＩＤに関連付けて録画情報として記録するデータベース装置記憶部と、
前記データベース装置記憶部が記憶する録画情報を、前記テレビ番組やテレビＣＭを制作する事業者が使用する視聴結果収集装置に送信するデータベース装置通信部と、
を有することを特徴とする視聴情報収集システム。
【請求項３】
前記第２の情報処理装置通信部は、更に前記携帯端末を所持する視聴者が前記テレビ番組やテレビＣＭを視聴した場合の感想についての情報である感想情報と、ソフトウエアＩＤを前記携帯端末から受信し、
前記データベース装置記憶部は、ソフトウエアＩＤに関連付けて更に前記感想情報を記憶し、
前記データベース装置通信部は、更に前記感想情報を前記視聴結果収集装置に送信することを特徴とする請求項１又は２に記載の視聴情報収集システム。
【請求項４】
前記データベース装置記憶部が記憶する操作情報、登録傾向情報に基づいて、推定傾向情報を生成する推定エンジン部を更に有することを特徴とする請求項１〜３のいずれかの項に記載の視聴情報収集システム。
【請求項５】
前記データベース装置通信部が送信する視聴情報を編集する視聴番組情報編集部を更に有することを特徴とする請求項１〜４のいずれかの項に記載の視聴情報収集システム。
【請求項６】
テレビ装置で放送されるテレビ番組やテレビＣＭについての情報を、前記テレビ装置の制御を行う携帯端末から収集する視聴情報収集方法であって、
第１の情報処理装置通信部により、前記視聴情報を収集するためのソフトウエアを、前記携帯端末に送信する第１のステップと、
第２の情報処理装置通信部により、前記第１の情報処理装置通信部からのソフトウエアの送信に対して、前記携帯端末から送信される属性情報と登録傾向情報を受信する第２のステップと、
ソフトウエアＩＤ生成部により、前記第２の情報処理装置通信部が属性情報と登録傾向情報を受信した場合に、前記携帯端末に固有のソフトウエアＩＤを生成する第３のステップと、
情報処理装置記憶部により、前記第２の情報処理装置通信部が受信する属性情報と登録傾向情報と、前記ソフトウエアＩＤ生成部が生成するソフトウエアＩＤを記憶する第４のステップと、
第３の情報処理装置通信部により、前記ソフトウエアＩＤ生成部が生成したソフトウエアＩＤを前記携帯端末に送信する第５のステップと、
端末通信装置通信部により、前記第３の情報処理装置通信部からソフトウエアＩＤを送信した後に、前記携帯端末からソフトウエアＩＤと、前記携帯端末の操作情報を受信する第６のステップと、
操作情報出力部により、前記端末通信装置通信部が受信した操作情報を前記テレビ装置に出力することにより、前記テレビ装置の制御を行う第７のステップと、
データベース装置記憶部により、前記情報処理装置記憶部に記録されている属性情報、登録傾向情報と、前記端末通信装置通信部が受信する操作情報を、ソフトウエアＩＤに関連付けて視聴情報として記録する第８のステップと、
データベース装置通信部により、前記データベース装置記憶部が記憶する視聴情報を、前記テレビ番組やテレビＣＭを制作する事業者が使用する視聴結果収集装置に送信する第９のステップと、
を有することを特徴とする視聴情報収集方法。
【請求項７】
録画装置で録画されるテレビ番組やテレビＣＭについての情報を、前記録画装置の制御を行う携帯端末から収集する視聴情報収集方法であって、
第１の情報処理装置通信部により、前記録画情報を収集するためのソフトウエアを、前記携帯端末に送信する第１のステップと、
第２の情報処理装置通信部により、前記第１の情報処理装置通信部からのソフトウエアの送信に対して、前記携帯端末から送信される属性情報と登録傾向情報を受信する第２のステップと、
ソフトウエアＩＤ生成部により、前記第２の情報処理装置通信部が属性情報と登録傾向情報を受信した場合に、前記携帯端末に固有のソフトウエアＩＤを生成する第３のステップと、
情報処理装置記憶部により、前記第２の情報処理装置通信部が受信する属性情報と登録傾向情報と、前記ソフトウエアＩＤ生成部が生成するソフトウエアＩＤを記憶する第４のステップと、
第３の情報処理装置通信部により、前記ソフトウエアＩＤ生成部が生成したソフトウエアＩＤを前記携帯端末に送信する第５のステップと、
第４の情報処理装置通信部により、前記第３の情報処理装置通信部からソフトウエアＩＤを送信した後に、前記携帯端末からソフトウエアＩＤと、前記携帯端末の録画情報を受信する第６のステップと、
操作情報出力部により、前記第４の情報処理装置通信部が受信した録画情報を前記録画装置に出力することにより、前記録画装置の制御を行う第７のステップと、
データベース装置記憶部により、前記情報処理装置記憶部に記録されている属性情報、登録傾向情報と、前記第４の情報処理装置通信部が受信する録画情報を、ソフトウエアＩＤに関連付けて録画情報として記録する第８のステップと、
データベース装置通信部により、前記データベース装置記憶部が記憶する録画情報を、前記テレビ番組やテレビＣＭを制作する事業者が使用する視聴結果収集装置に送信する第９のステップと、
を有することを特徴とする視聴情報収集方法。
【請求項８】
テレビ装置で放送されるテレビ番組やテレビＣＭについての情報を、前記テレビ装置の制御を行う携帯端末から収集する視聴情報収集プログラムであって、
前記視聴情報を収集するためのソフトウエアを、前記携帯端末に送信する第１のステップと、
前記第１のステップにおけるソフトウエアの送信に対して、前記携帯端末から送信される属性情報と登録傾向情報を受信する第２のステップと、
前記第２のステップで属性情報と登録傾向情報を受信した場合に、前記携帯端末に固有のソフトウエアＩＤを生成する第３のステップと、
前記第２のステップで受信する属性情報と登録傾向情報と、前記ソフトウエアＩＤ生成部が生成するソフトウエアＩＤを記録する第４のステップと、
前記第３のステップで生成したソフトウエアＩＤを前記携帯端末に送信する第５のステップと、
前記携帯端末からソフトウエアＩＤと、前記携帯端末の操作情報を受信する第６のステップと、
前記第６のステップで受信した操作情報を前記テレビ装置に出力することにより、前記テレビ装置の制御を行う第７のステップと、
前記第４のステップで記録した属性情報、登録傾向情報と、前記第６のステップで受信した操作情報を、ソフトウエアＩＤに関連付けて視聴情報として記録する第８のステップと、
前記第８のステップで記憶した視聴情報を、前記テレビ番組やテレビＣＭを制作する事業者が使用する視聴結果収集装置に送信する第９のステップと、
をコンピュータに実行させるための視聴情報収集プログラム。
【請求項９】
録画装置で録画されるテレビ番組やテレビＣＭについての情報を、前記録画装置の制御を行う携帯端末から収集する視聴情報収集プログラムであって、
前記録画情報を収集するためのソフトウエアを、前記携帯端末に送信する第１のステップと、
前記第１のステップにおけるソフトウエアの送信に対して、前記携帯端末から送信される属性情報と登録傾向情報を受信する第２のステップと、
前記第２のステップで属性情報と登録傾向情報を受信した場合に、前記携帯端末に固有のソフトウエアＩＤを生成する第３のステップと、
前記第２のステップで受信する属性情報と登録傾向情報と、前記ソフトウエアＩＤ生成部が生成するソフトウエアＩＤを記憶する第４のステップと、
前記第３のステップで生成したソフトウエアＩＤを前記携帯端末に送信する第５のステップと、
前記携帯端末からソフトウエアＩＤと、前記携帯端末の録画情報を受信する第６のステップと、
前記第６のステップで受信した録画情報を前記録画装置に出力することにより、前記録画装置の制御を行う第７のステップと、
前記第４のステップで記録した属性情報、登録傾向情報と、前記第６のステップで受信した録画情報を、ソフトウエアＩＤに関連付けて録画情報として記録する第８のステップと、
前記第８のステップで記憶した録画情報を、前記テレビ番組やテレビＣＭを制作する事業者が使用する視聴結果収集装置に送信する第９のステップと、
をコンピュータに実行させるための視聴情報収集プログラム。
【発明の詳細な説明】
【技術分野】
【０００１】
本発明は、テレビ番組等についての視聴率などの情報を収集するための視聴情報収集システム、視聴情報収集方法及び視聴情報収集プログラムに関する。
【背景技術】
【０００２】
従来から、テレビ番組やテレビＣＭ（Commercial Message）等を視聴する視聴者の性別、年齢、感想などを、手紙、電子メール、インターネット等を利用して調査する方法が知られている。
また、視聴者が携帯端末を購入する際に氏名、性別、年齢などの個人情報を登録し、視聴者が携帯端末により視聴するテレビ番組等の操作を行った場合に、その個人情報を利用することにより視聴者の性別や年齢などの情報を分析する技術も知られている（特許文献１）。
更に、視聴者が所持する携帯端末により、リモコンとしてテレビ装置等の遠隔操作を行った場合に、視聴者によりどのテレビ番組等が視聴されたのかについての情報を集計し、分析する技術が知られている（特許文献２）。
【特許文献１】国際公開第ＷＯ０２／００９４４７号パンフレット
【特許文献２】特開２００２−７７４３６号公報
【発明の開示】
【発明が解決しようとする課題】
【０００３】
しかしながら、従来知られていた方法では、テレビ番組やテレビＣＭを制作する事業者が、そのテレビ番組等の視聴率を算出するために個人情報を、テレビ番組等を視聴した視聴者の情報として収集するため、視聴者の個人情報が、テレビ番組等を視聴した人物を識別するための情報として流用される可能性があり、視聴者の意図していない目的で個人情報が使用される場合があるという問題があった。
更に、特許文献２に記載の技術では、視聴者がどのテレビ番組等を視聴したかについての情報を収集することはできたものの、視聴者がどのような分野に興味を持っているか等についての情報を収集することはできないという問題があった。
【０００４】
本発明は、上記事情を考慮してなされたもので、その目的は、テレビ番組等を視聴する視聴者の属性情報や登録傾向情報を、ソフトウエアＩＤを基に収集する視聴情報収集システム、視聴情報収集方法及び視聴情報収集プログラムを提供することにある。
【課題を解決するための手段】
【０００５】
請求項１に記載の発明は、テレビ装置で放送されるテレビ番組やテレビＣＭについての情報を、前記テレビ装置の制御を行う携帯端末から収集する視聴情報収集システムであって、前記視聴情報を収集するためのソフトウエアを、前記携帯端末に送信する第１の情報処理装置通信部と、前記第１の情報処理装置通信部からのソフトウエアの送信に対して、前記携帯端末から送信される属性情報と登録傾向情報を受信する第２の情報処理装置通信部と、前記第２の情報処理装置通信部が属性情報と登録傾向情報を受信した場合に、前記携帯端末に固有のソフトウエアＩＤを生成するソフトウエアＩＤ生成部と、前記第２の情報処理装置通信部が受信する属性情報と登録傾向情報と、前記ソフトウエアＩＤ生成部が生成するソフトウエアＩＤを記憶する情報処理装置記憶部と、前記ソフトウエアＩＤ生成部が生成したソフトウエアＩＤを前記携帯端末に送信する第３の情報処理装置通信部と、前記第３の情報処理装置通信部からソフトウエアＩＤを送信した後に、前記携帯端末からソフトウエアＩＤと、前記携帯端末の操作情報を受信する端末通信装置通信部と、前記端末通信装置通信部が受信した操作情報を前記テレビ装置に出力することにより、前記テレビ装置の制御を行う操作情報出力部と、前記情報処理装置記憶部に記録されている属性情報、登録傾向情報と、前記端末通信装置通信部が受信する操作情報を、ソフトウエアＩＤに関連付けて視聴情報として記録するデータベース装置記憶部と、前記データベース装置記憶部が記憶する視聴情報を、前記テレビ番組やテレビＣＭを制作する事業者が使用する視聴結果収集装置に送信するデータベース装置通信部とを有することを特徴とする視聴情報収集システムである。
【０００６】
また、請求項２に記載の発明は、録画装置で録画されるテレビ番組やテレビＣＭについての情報を、前記録画装置の制御を行う携帯端末から収集する視聴情報収集システムであって、前記録画情報を収集するためのソフトウエアを、前記携帯端末に送信する第１の情報処理装置通信部と、前記第１の情報処理装置通信部からのソフトウエアの送信に対して、前記携帯端末から送信される属性情報と登録傾向情報を受信する第２の情報処理装置通信部と、前記第２の情報処理装置通信部が属性情報と登録傾向情報を受信した場合に、前記携帯端末に固有のソフトウエアＩＤを生成するソフトウエアＩＤ生成部と、前記第２の情報処理装置通信部が受信する属性情報と登録傾向情報と、前記ソフトウエアＩＤ生成部が生成するソフトウエアＩＤを記憶する情報処理装置記憶部と、前記ソフトウエアＩＤ生成部が生成したソフトウエアＩＤを前記携帯端末に送信する第３の情報処理装置通信部と、前記第３の情報処理装置通信部からソフトウエアＩＤを送信した後に、前記携帯端末からソフトウエアＩＤと、前記携帯端末の録画情報を受信する第４の情報処理装置通信部と、前記第４の情報処理装置通信部が受信した録画情報を前記録画装置に出力することにより、前記録画装置の制御を行う操作情報出力部と、前記情報処理装置記憶部に記録されている属性情報、登録傾向情報と、前記第４の情報処理装置通信部が受信する録画情報を、ソフトウエアＩＤに関連付けて録画情報として記録するデータベース装置記憶部と、前記データベース装置記憶部が記憶する録画情報を、前記テレビ番組やテレビＣＭを制作する事業者が使用する視聴結果収集装置に送信するデータベース装置通信部とを有することを特徴とする視聴情報収集システムである。
【０００７】
また、請求項３に記載の発明は、前記第２の情報処理装置通信部は、更に前記携帯端末を所持する視聴者が前記テレビ番組やテレビＣＭを視聴した場合の感想についての情報である感想情報と、ソフトウエアＩＤを前記携帯端末から受信し、前記データベース装置記憶部は、ソフトウエアＩＤに関連付けて更に前記感想情報を記憶し、前記データベース装置通信部は、更に前記感想情報を前記視聴結果収集装置に送信することを特徴とする請求項１又は２に記載の視聴情報収集システムである。
【０００８】
また、請求項４に記載の発明は、前記データベース装置記憶部が記憶する操作情報、登録傾向情報に基づいて、推定傾向情報を生成する推定エンジン部を更に有することを特徴とする請求項１〜３のいずれかの項に記載の視聴情報収集システムである。
【０００９】
また、請求項５に記載の発明は、前記データベース装置通信部が送信する視聴情報を編集する視聴番組情報編集部を更に有することを特徴とする請求項１〜４のいずれかの項に記載の視聴情報収集システムである。
【００１０】
また、請求項６に記載の発明は、テレビ装置で放送されるテレビ番組やテレビＣＭについての情報を、前記テレビ装置の制御を行う携帯端末から収集する視聴情報収集方法であって、第１の情報処理装置通信部により、前記視聴情報を収集するためのソフトウエアを、前記携帯端末に送信する第１のステップと、第２の情報処理装置通信部により、前記第１の情報処理装置通信部からのソフトウエアの送信に対して、前記携帯端末から送信される属性情報と登録傾向情報を受信する第２のステップと、ソフトウエアＩＤ生成部により、前記第２の情報処理装置通信部が属性情報と登録傾向情報を受信した場合に、前記携帯端末に固有のソフトウエアＩＤを生成する第３のステップと、情報処理装置記憶部により、前記第２の情報処理装置通信部が受信する属性情報と登録傾向情報と、前記ソフトウエアＩＤ生成部が生成するソフトウエアＩＤを記憶する第４のステップと、第３の情報処理装置通信部により、前記ソフトウエアＩＤ生成部が生成したソフトウエアＩＤを前記携帯端末に送信する第５のステップと、端末通信装置通信部により、前記第３の情報処理装置通信部からソフトウエアＩＤを送信した後に、前記携帯端末からソフトウエアＩＤと、前記携帯端末の操作情報を受信する第６のステップと、操作情報出力部により、前記端末通信装置通信部が受信した操作情報を前記テレビ装置に出力することにより、前記テレビ装置の制御を行う第７のステップと、データベース装置記憶部により、前記情報処理装置記憶部に記録されている属性情報、登録傾向情報と、前記端末通信装置通信部が受信する操作情報を、ソフトウエアＩＤに関連付けて視聴情報として記録する第８のステップと、データベース装置通信部により、前記データベース装置記憶部が記憶する視聴情報を、前記テレビ番組やテレビＣＭを制作する事業者が使用する視聴結果収集装置に送信する第９のステップとを有することを特徴とする視聴情報収集方法である。
【００１１】
また、請求項７に記載の発明は、録画装置で録画されるテレビ番組やテレビＣＭについての情報を、前記録画装置の制御を行う携帯端末から収集する視聴情報収集方法であって、第１の情報処理装置通信部により、前記録画情報を収集するためのソフトウエアを、前記携帯端末に送信する第１のステップと、第２の情報処理装置通信部により、前記第１の情報処理装置通信部からのソフトウエアの送信に対して、前記携帯端末から送信される属性情報と登録傾向情報を受信する第２のステップと、ソフトウエアＩＤ生成部により、前記第２の情報処理装置通信部が属性情報と登録傾向情報を受信した場合に、前記携帯端末に固有のソフトウエアＩＤを生成する第３のステップと、情報処理装置記憶部により、前記第２の情報処理装置通信部が受信する属性情報と登録傾向情報と、前記ソフトウエアＩＤ生成部が生成するソフトウエアＩＤを記憶する第４のステップと、第３の情報処理装置通信部により、前記ソフトウエアＩＤ生成部が生成したソフトウエアＩＤを前記携帯端末に送信する第５のステップと、第４の情報処理装置通信部により、前記第３の情報処理装置通信部からソフトウエアＩＤを送信した後に、前記携帯端末からソフトウエアＩＤと、前記携帯端末の録画情報を受信する第６のステップと、操作情報出力部により、前記第４の情報処理装置通信部が受信した録画情報を前記録画装置に出力することにより、前記録画装置の制御を行う第７のステップと、データベース装置記憶部により、前記情報処理装置記憶部に記録されている属性情報、登録傾向情報と、前記第４の情報処理装置通信部が受信する録画情報を、ソフトウエアＩＤに関連付けて録画情報として記録する第８のステップと、データベース装置通信部により、前記データベース装置記憶部が記憶する録画情報を、前記テレビ番組やテレビＣＭを制作する事業者が使用する視聴結果収集装置に送信する第９のステップとを有することを特徴とする視聴情報収集方法である。
【００１２】
また、請求項８に記載の発明は、テレビ装置で放送されるテレビ番組やテレビＣＭについての情報を、前記テレビ装置の制御を行う携帯端末から収集する視聴情報収集プログラムであって、前記視聴情報を収集するためのソフトウエアを、前記携帯端末に送信する第１のステップと、前記第１のステップにおけるソフトウエアの送信に対して、前記携帯端末から送信される属性情報と登録傾向情報を受信する第２のステップと、前記第２のステップで属性情報と登録傾向情報を受信した場合に、前記携帯端末に固有のソフトウエアＩＤを生成する第３のステップと、前記第２のステップで受信する属性情報と登録傾向情報と、前記ソフトウエアＩＤ生成部が生成するソフトウエアＩＤを記録する第４のステップと、前記第３のステップで生成したソフトウエアＩＤを前記携帯端末に送信する第５のステップと、前記携帯端末からソフトウエアＩＤと、前記携帯端末の操作情報を受信する第６のステップと、前記第６のステップで受信した操作情報を前記テレビ装置に出力することにより、前記テレビ装置の制御を行う第７のステップと、前記第４のステップで記録した属性情報、登録傾向情報と、前記第６のステップで受信した操作情報を、ソフトウエアＩＤに関連付けて視聴情報として記録する第８のステップと、前記第８のステップで記憶した視聴情報を、前記テレビ番組やテレビＣＭを制作する事業者が使用する視聴結果収集装置に送信する第９のステップとをコンピュータに実行させるための視聴情報収集プログラムである。
【００１３】
また、請求項９に記載の発明は、録画装置で録画されるテレビ番組やテレビＣＭについての情報を、前記録画装置の制御を行う携帯端末から収集する視聴情報収集プログラムであって、前記録画情報を収集するためのソフトウエアを、前記携帯端末に送信する第１のステップと、前記第１のステップにおけるソフトウエアの送信に対して、前記携帯端末から送信される属性情報と登録傾向情報を受信する第２のステップと、前記第２のステップで属性情報と登録傾向情報を受信した場合に、前記携帯端末に固有のソフトウエアＩＤを生成する第３のステップと、前記第２のステップで受信する属性情報と登録傾向情報と、前記ソフトウエアＩＤ生成部が生成するソフトウエアＩＤを記憶する第４のステップと、前記第３のステップで生成したソフトウエアＩＤを前記携帯端末に送信する第５のステップと、前記携帯端末からソフトウエアＩＤと、前記携帯端末の録画情報を受信する第６のステップと、前記第６のステップで受信した録画情報を前記録画装置に出力することにより、前記録画装置の制御を行う第７のステップと、前記第４のステップで記録した属性情報、登録傾向情報と、前記第６のステップで受信した録画情報を、ソフトウエアＩＤに関連付けて録画情報として記録する第８のステップと、前記第８のステップで記憶した録画情報を、前記テレビ番組やテレビＣＭを制作する事業者が使用する視聴結果収集装置に送信する第９のステップとをコンピュータに実行させるための視聴情報収集プログラムである。
【発明の効果】
【００１４】
本発明では、携帯端末にソフトウエアを送信する代償として、属性情報、登録傾向情報、操作情報を受信して、視聴結果収集装置に送信するようにした。
これにより、視聴結果収集装置を使用するテレビ番組やテレビＣＭを制作する事業者が、視聴者に関する視聴情報を取得することができる。
【発明を実施するための最良の形態】
【００１５】
以下、図面を参照して、本発明の実施形態による視聴情報収集システムついて説明する。
図１は、本発明の実施形態による視聴情報収集システムの概略構成図である。
視聴情報収集システムは、携帯端末１、端末通信装置２、録画装置３、テレビ装置４、情報処理装置５、データベース装置６、推定エンジン装置７、視聴結果収集装置８を有する。
携帯端末１と情報処理装置５は、携帯端末ネットワーク９を介して接続されており、相互に情報の送受信を行うことができるようになっている。また、端末通信装置２、情報処理装置５、データベース装置６、推定エンジン装置７、視聴結果収集装置８は、インターネットなどの通信ネットワーク１０を介して接続されており、相互に情報の送受信を行うことができるようになっている。
【００１６】
携帯端末１は、赤外線送信機能を有し、赤外線を介して端末通信装置２に対して情報を送信できるようになっている。また、端末通信装置２は、ケーブルを介して録画装置３、テレビ装置４と接続されており、情報の入出力を行うことができるようになっている。また、録画装置３とテレビ装置４はケーブルを介して接続されており、情報の入出力を行うことができるようになっている。なお、端末通信装置２と録画装置３及びテレビ装置４や、録画装置３とテレビ装置４の相互間の情報の入出力をケーブルを介して行うのではなく、無線通信を利用して行うようにしてもかまわない。
なお、本実施形態では、端末通信装置２、情報処理装置５、データベース装置６、推定エンジン装置７が別々の装置により構成される場合について説明しているが、このような構成に限定されるものではなく、端末通信装置２、情報処理装置５、データベース装置６、推定エンジン装置７を１台の装置により構成してもよい。
【００１７】
図２は、本実施形態による携帯端末１の構成を示すブロック図である。携帯端末１としては、携帯電話機やＰＤＡ（Personal Digital Assistant）などが用いられる。本実施形態では、携帯端末１として携帯電話機を使用する場合について説明する。
携帯端末１は、携帯端末入力部１１、携帯端末記憶部１２、携帯端末通信部１３、赤外線送信部１４、映像表示部１５を有する。
携帯端末入力部１１は、テンキーなどのボタンにより構成され、携帯端末１の利用者がボタンを押下することにより、押されたボタンに対応する情報を出力する。携帯端末入力部１１からは、操作情報、属性情報、登録傾向情報、感想情報などが入力される。
【００１８】
ここで、操作情報は、携帯端末１を所持する視聴者が、テレビ装置４で視聴するテレビ番組を切り替えるための指示情報、又は、録画装置３で録画するテレビ番組を指示ための録画情報などからなる。また、属性情報は、携帯端末１を所持する視聴者の性別、生年月日、職業、在住する都道府県、地区町村などについての情報を含む。また、登録傾向情報は、携帯端末１を所持する視聴者が興味を持っている事柄についての情報であり、例えば、車、化粧品などの情報である。また、感想情報は、携帯端末１を所持する視聴者が、テレビ番組やテレビＣＭを視聴した場合の感想についての情報であり、「ｇｏｏｄ」、「ｂａｄ」などの情報である。
【００１９】
携帯端末記憶部１２は、ＲＡＭ（Random Access Memory）などにより構成される。携帯端末記憶部１２は、携帯端末入力部１１から出力される操作情報、属性情報、登録傾向情報や、携帯端末通信部１３が受信するソフトウエア、ソフトウエアＩＤなどの情報を記憶する。また、携帯端末記憶部１２に記録されている情報は、赤外線送信部１４や映像表示部１５に出力される。ここで、本実施形態におけるソフトウエアは、テレビ装置４で放送されるテレビ番組やテレビＣＭについての情報を収集するために使用されるプログラムである。また、ソフトウエアＩＤとは、携帯端末記憶部１２にソフトウエアが記録されている携帯端末１を識別するために使用される情報である。
【００２０】
携帯端末通信部１３は、携帯端末記憶部１２に記録されている操作情報、属性情報、登録傾向情報、ソフトウエアＩＤなどの情報を読み出して携帯端末ネットワーク９を介して情報処理装置５に送信する。また、携帯端末通信部１３は、携帯端末ネットワーク９を介して情報処理装置５からソフトウエア、ソフトウエアＩＤなどの情報を受信し、携帯端末記憶部１２に記録する。
赤外線送信部１４は、携帯端末記憶部１２に記録されている操作情報、ソフトウエアＩＤなどの情報を読み出して、赤外線により端末通信装置２に送信する。
映像表示部１５は、ＬＣＤ（Liquid Crystal Display：液晶表示装置）などにより構成される。映像表示部１５は、携帯端末記憶部１２に記録されるＥＰＧ（Electronic Program Guide）などを読み出して、ＬＣＤなどに表示する。なお、ＥＰＧは、携帯端末通信部１３を介して携帯端末ネットワーク９などから取得される。
【００２１】
図３は、本実施形態による端末通信装置２の構成を示すブロック図である。端末通信装置２としては、ＳＴＢ（Set Top Box）などの機器が用いられる。端末通信装置２は、赤外線受信部２１、端末通信装置記憶部２２、端末通信装置通信部２３、操作情報出力部２４を有する。
赤外線受信部２１は、携帯端末１の赤外線送信部１４から送信される操作情報、ソフトウエアＩＤなどの情報を赤外線により受信して、端末通信装置記憶部２２に出力する。
端末通信装置記憶部２２は、ＲＡＭなどにより構成される。端末通信装置記憶部２２は、赤外線受信部２１から出力される操作情報、ソフトウエアＩＤや、端末通信装置通信部２２から出力される操作情報、ソフトウエアＩＤを記録する。
【００２２】
端末通信装置通信部２３は、端末通信装置記憶部２２に記録される操作情報、ソフトウエアＩＤなどを読み出して、通信ネットワーク１０を介してデータベース装置６に送信する。また、端末通信装置通信部２３は、通信ネットワーク１０を介して情報処理装置５から操作情報、ソフトウエアＩＤなどを受信し、端末通信装置記憶部２２に出力する。
操作情報出力部２４は、端末通信装置記憶部２２に記録されている操作情報に指示情報が含まれる場合にはテレビ装置４に出力し、録画情報が含まれる場合には録画装置３に出力する。
【００２３】
図４は、本実施形態による録画装置３の構成を示すブロック図である。録画装置３としては、ビデオレコーダやＤＶＤ（Digital Versatile Disc）レコーダなどの機器が用いられる。録画装置３は、操作情報入力部３１、タイマー３２、録画装置記憶部３３、番組録画部３４、録画番組出力部３５、放送波受信部３６を有する。
録画装置入力部３１には、端末通信装置２から出力される録画情報を含む操作情報が入力される。入力された操作情報は、録画装置記憶部３３に出力される。
録画装置記憶部３３は、録画装置入力部３１から出力される操作情報を記憶する。また、番組録画部３４によって録画される録画番組を記憶する。
タイマー２２は、現在時刻の情報を番組録画部３４に出力する。放送波受信部３６は放送波を受信し、操作情報に含まれる録画情報で指定されるチャンネルのテレビ番組を、番組録画部３４に出力する。
【００２４】
番組録画部３４は、録画装置記憶部３３から操作情報を読み出し、操作情報に含まれる録画情報で指定される録画開始時刻、録画終了時刻、録画チャンネルの情報に基づいて、テレビ番組を録画する。具体的には、録画開始時刻とタイマー３２から出力される現在時刻とを比較し、現在時刻が録画開始時刻を経過した場合に、録画チャンネルで指定されるチャンネルのテレビ番組を放送波受信部３６から入力する。また、録画終了時刻とタイマー３２から出力される現在時刻とを比較し、現在時刻が録画終了時刻を経過した場合に、録画チャンネルで指定されるチャンネルの番組の録画を終了する。番組録画部３４で録画されるテレビ番組は、録画装置記憶部３３に記録される。
録画番組出力部３５は、録画装置記憶部３３に記録されているテレビ番組を読み出し、テレビ装置４に出力する。
【００２５】
図５は、本実施形態によるテレビ装置４の構成を示すブロック図である。テレビ装置４は、録画番組入力部４１、操作情報入力部４２、映像切替部４３、放送波受信部４４、映像表示部４５を有する。
録画番組入力部４１は、録画装置３から出力される録画番組を取得し、映像切替部４３に出力する。操作情報入力部４２は、端末通信装置２から出力される操作情報を取得し、放送波受信部４４に出力する。放送波受信部４４は、放送波を受信し、操作情報に含まれる指示情報で指定されるチャンネルのテレビ番組を映像切替部４３に出力する。
映像切替部４３は、録画番組入力部４１から出力される録画番組と、放送波受信部４４から出力されるテレビ番組のうち、映像表示４５で表示する番組を映像表示部４５に出力する。映像表示部４５は、ＬＣＤなどにより構成される。映像表示部４５は、映像切替部４３から出力される番組を表示画面に表示する。
【００２６】
図６は、本実施形態による情報処理装置５の構成を示すブロック図である。情報処理装置５は、ＰＣ（Personal Computer）などにより構成される。情報処理装置５は、情報処理装置記憶部５１、情報処理装置通信部５２ａ及び５２ｂ、ソフトウエアＩＤ生成部５３を有する。
情報処理装置通信部５２ａは、携帯端末ネットワーク９を介して、携帯端末１から操作情報、ソフトウエアＩＤ、属性情報、登録傾向情報などを受信し、情報処理装置記憶部５１に出力する。また、情報処理装置通信部５２ａは、情報処理装置記憶部５１に記録されるソフトウエアを読み出して携帯端末ネットワーク９を介して携帯端末１に送信する。
【００２７】
情報処理装置記憶部５１は、ソフトウエア、操作情報、ソフトウエアＩＤ、属性情報、登録傾向情報などを記憶する。ソフトウエアＩＤ生成部５３は、情報処理装置通信部５２ａが携帯端末１から属性情報と登録傾向情報を受信した場合に、それぞれの携帯端末１を識別するためのソフトウエアＩＤを、情報処理装置通信部５２ａを介して携帯端末１に送信する。情報処理装置通信部５２ｂは、情報処理装置記憶部５１に記録される操作情報、ソフトウエアＩＤ、属性情報、登録傾向情報を読み出して、通信ネットワーク１０を介してデータベース装置６に送信する。
【００２８】
図７は、本実施形態によるデータべース装置６の構成を示すブロック図である。データべース装置６は、ＰＣなどにより構成される。データベース装置６は、データベース装置記憶部６１、視聴番組情報特定部６２、テレビ番組表取得部６３、データベース装置通信部６４を有する。
データベース装置通信部６４は、通信ネットワーク１０を介して情報処理装置５からソフトウエアＩＤ、属性情報、登録傾向情報を受信し、データベース装置記憶部６１に出力する。また、データベース装置通信部６４は、通信ネットワーク１０を介して視聴結果収集装置８からコンテンツＩＤを受信し、データベース装置記憶部６１に出力する。
【００２９】
また、データベース装置通信部６４は、データベース装置記憶部６１に記録される視聴番組情報、属性情報、登録傾向情報、推定傾向情報を、通信ネットワーク１０を介して視聴結果収集装置８に送信する。また、データベース装置通信部６４は、データベース装置記憶部６１に記録されるコンテンツＩＤを、通信ネットワーク１０を介して推定エンジン装置７に送信する。テレビ番組表取得部６３は、ＥＰＧなどのテレビ番組表の情報を通信ネットワーク１０などを介して取得する。
視聴番組特定部６２は、データベース装置記憶部６１に記憶される操作情報と、テレビ番組表取得部６３から出力されるテレビ番組表の情報に基づいて、テレビ装置４により視聴されたテレビ番組、又は、録画装置３により録画された録画番組を特定し、視聴番組情報としてデータベース装置記憶部６１に出力する。データベース装置記憶部６１は、操作情報、属性情報、登録傾向情報、推定傾向情報、視聴番組情報などを記憶する。
【００３０】
図８は、本実施形態による推定エンジン装置７の構成を示すブロック図である。推定エンジン装置７としては、所定の情報に基づいて推定を行う推定エンジンの機能を搭載したＰＣなどが用いられる。推定エンジン装置７は、推定傾向情報生成部７１、推定エンジン装置通信部７２を有する。
推定エンジン装置通信部７２は、通信ネットワーク１０を介してデータベース装置６から視聴番組情報、登録傾向情報などを受信し、推定傾向情報生成部７１に出力する。また、推定エンジン装置通信部７２は、推定傾向情報生成部７１により生成される推定傾向情報を通信ネットワーク１０を介してデータベース装置６に送信する。
推定傾向情報生成部７１は、視聴番組情報、登録傾向情報に基づいて、携帯端末１の所持する視聴者が好むと思われる事項についての推定傾向情報を生成し、推定エンジン装置通信部７２に出力する。
【００３１】
図９は、本実施形態による視聴結果収集装置８の構成を示すブロック図である。視聴結果収集装置８は、ＰＣなどにより構成される装置であり、テレビ番組やテレビＣＭを制作する事業者などにより所有される。視聴結果収集装置８は、視聴結果収集装置入力部８１、視聴結果収集装置記憶部８２、視聴番組情報編集部８３、視聴結果収集装置通信部８４、映像表示部８５を有する。
視聴結果収集装置入力部８１は、キーボードなどにより構成される。視聴結果収集装置入力部８１は、テレビ番組等を制作する事業者により製作されるテレビ番組等を識別するためのコンテンツＩＤを取得し、視聴結果収集装置通信部８４に出力する。
【００３２】
視聴結果収集装置通信部８４は、コンテンツＩＤを通信ネットワーク１０を介して、データベース装置６に送信する。また、視聴結果収集装置通信部８４は、データベース装置６から通信ネットワーク１０を介して、属性情報、登録傾向情報、推定傾向情報、視聴番組情報、ソフトウエアＩＤなどを受信し、視聴結果収集装置記憶部８２に出力する。視聴結果収集装置記憶部８２は、属性情報、登録傾向情報、推定傾向情報、視聴番組情報、ソフトウエアＩＤなどを記憶する。
視聴番組情報編集部８３は、視聴結果収集装置記憶部８２に記録される属性情報、登録傾向情報、推定傾向情報、視聴番組情報、ソフトウエアＩＤなどに基づいて、視聴番組情報等の編集を行い、映像表示部８５に出力する。視聴番組情報は、例えば、コンテンツＩＤにより特定されるテレビ番組を視聴した視聴者を、性別、年齢、居住地域ごとに分類した情報である。映像表示部８５は、ＬＣＤなどにより構成される。映像表示部８５は、視聴番組情報編集部８３から出力される情報をＬＣＤなどに表示する。
【００３３】
次に、本発明の実施形態による視聴情報収集システムの動作について説明する。
図１０は、本実施形態による視聴情報収集システムの登録処理の流れを示すシーケンス図である。始めに携帯端末１は、携帯端末ネットワーク９を介して情報処理装置５に対し、ソフトウエアの送信を要求する（ステップＳ１１）。
情報処理装置５は、携帯端末１からのソフトウエアの送信要求に応じて、携帯端末ネットワーク９を介して端末通信装置記憶部２２に記憶しているソフトウエアを読み出して送信する（ステップＳ１２）。
携帯端末通信部１３は、ソフトウエアを受信し携帯端末記憶部１２に記憶する。ソフトウエアを携帯端末記憶部１２に記憶することにより、携帯端末１をテレビ装置４や録画装置３のリモコンとして利用することができるようになる。
【００３４】
携帯端末入力部１１には、携帯端末１を所持する視聴者の操作により、属性情報と登録傾向情報が入力され、携帯端末記憶部１２に記録される。図１１に、携帯端末入力部１１から属性情報を入力する際に、映像表示部１５に表示される画面の一例を示す。視聴者は、図１１のような表示画面を参照しながら、属性情報として、「氏名」、「職業」、「生年月日」、「性別」などの情報を入力する。
携帯端末通信部１３は、属性情報と登録傾向情報を携帯端末ネットワーク９を介して、情報処理装置５に送信する（ステップＳ１３）。
【００３５】
端末処理装置５のソフトウエアＩＤ生成部５３は、携帯端末１から属性情報と登録傾向情報を受信した場合に、各々の携帯端末１を識別するためのソフトウエアＩＤを生成する。そして、ソフトウエアＩＤと、そのソフトウエアＩＤで特定される携帯端末１から受信した属性情報と登録傾向情報とを関連付けて、情報処理装置記憶部５１に記録する（ステップＳ１４）。
情報処理装置通信部５２ａは、ソフトウエアＩＤ生成部５３で生成したソフトウエアＩＤを、携帯端末ネットワーク９を介して携帯端末１に送信する（ステップＳ１５）。
【００３６】
また、情報処理装置通信部５２ｂは、情報処理装置記憶部５１に記録されているソフトウエアＩＤと属性情報、登録傾向情報を通信ネットワーク１０を介してデータベース装置６に送信され、データベース装置記憶部６１に記録される（ステップＳ１６）。
データベース装置記憶部６１に記録されるデータの一例を図１２（ａ）、（ｂ）に示す。図１２（ａ）では、ソフトウェアＩＤと、属性情報（性別、生年月日、職業、都道府県、市区町村など）を関連付けて記憶した例を示している。一方、図１２（ｂ）は、ソフトウェアＩＤと、登録傾向情報とを関連付けて記憶した例を示している。ここで、「登録傾向情報」とは、携帯端末１の利用者が興味を持っている事柄についての情報であり、例えば、車や化粧品などの情報である。
【００３７】
図１３は、本実施形態による視聴情報収集システムの指示情報を含む操作情報についての処理の流れを示すシーケンス図である。
携帯端末１をテレビ装置４のリモコンとして使用する際には、携帯端末記憶部１２に記録されているソフトウエアを起動する（ステップＳ２１）。
携帯端末入力部１１は、携帯端末１を所持する視聴者により入力される指示情報を含む操作情報を、携帯端末記憶部１２に記録されているソフトウエアＩＤとともに、赤外線送信部１４から赤外線により端末通信装置２に送信する（ステップＳ２２）。
端末通信装置２の赤外線受信部２１は、携帯端末１から操作情報とソフトウエアＩＤの情報を受信し、端末送信装置記憶部２２に記録する。端末送信装置記憶部２２に記録されるデータの一例を図１４（ａ）に示す。操作情報は、テレビ装置４に対する「電源ＯＮ」、「チャンネル変更」や、テレビ装置４で表示されるテレビ番組等に対しての「感想情報」などの「操作内容」の情報と、操作情報を入力した「日時」の情報などが含まれる。
【００３８】
端末通信装置通信部２３は、端末通信装置記憶部２２から操作情報を読み出して、ケーブル等を介してテレビ端末４に送信する（ステップＳ２３）。テレビ装置４の操作情報入力部４２には、操作情報が入力される。映像切替部４３は、操作情報に含まれる指示情報に基づいて、テレビ番組を放送するチャンネルの切り替える。映像表示部４４は、映像切替部４３から出力されるテレビ番組等を表示画面に表示する。
また、端末通信装置通信部２３は、携帯端末１から受信した操作情報とソフトウエアＩＤを通信ネットワーク１０を介してデータベース装置６に送信する（ステップＳ２４）。
【００３９】
携帯端末入力部１１には、携帯端末１の所持者である視聴者の操作により感想情報を含む操作情報が入力される。携帯端末入力部１１から感想情報を含む操作情報を入力する際に、携帯端末１の映像表示部１５に表示される画面の一例を図１５に示す。図に示すように、映像表示部１５には、携帯端末入力部１１のボタン配置と類似する画面が表示される。視聴者は、映像表示部１５に表示されるボタン配置の画像に対応する携帯端末入力部１１のボタンを押下することにより、感想情報を含む操作情報を入力する。ここでは、「Ｇｏｏｄ」、「Ｂａｄ」のアイコン１５ａ、１５ｂに対応する携帯端末入力部１１のボタンを押下することにより、感想情報を含む操作情報が入力される。
【００４０】
携帯端末通信部１３は、携帯端末記憶部１２に記録されている感想情報を含む操作情報とソフトウエアＩＤを読み出し、通信ネットワーク１０を介して端末通信装置２に送信する（ステップＳ２５）。端末通信装置通信部２３は、操作情報とソフトウエアＩＤを受信し、端末装置記憶部１２に記録する。
端末通信装置通信部２３は、所定時間（例えば、５分）が経過する度に、端末通信装置記憶部２２に記憶されている指示情報や感想情報を含む操作情報を、ソフトウエアＩＤとともに通信ネットワーク１０を介して、データベース装置６に送信する（ステップＳ２６）。なお、端末通信装置通信部２３がリアルタイムで、端末通信装置記憶部２２に記憶されている操作情報をソフトウエアＩＤとともにデータベース装置６に送信するようにしてもよい。
【００４１】
データベース装置６の視聴番組情報特定部６２は、端末通信装置２から受信した操作情報と、テレビ番組表取得部６３が取得するテレビ番組表の情報に基づいて、携帯端末１の利用者である視聴者が視聴した番組のコンテンツＩＤを特定する（ステップＳ２７）。コンテンツＩＤは、それぞれのテレビ番組やテレビＣＭを識別するための識別情報である。データベース装置記憶部６１には、図１４（ｂ）に示すように、コンテンツＩＤと関連付けて、そのコンテンツＩＤの番組等についての視聴情報が記録される。視聴情報としては、そのコンテンツＩＤの番組等を視聴した携帯端末１のソフトウエアＩＤ、その番組等が放送された時間帯、その番組等を視聴した視聴者により入力された感想情報などが含まれる。
視聴番組情報特定部６２が特定した視聴番組の情報は、ソフトウエアＩＤと関連付けられてデータベース装置記憶部６１に記録される（ステップＳ２８）。データベース装置記憶部６１には、図１４（ｃ）に示すように、ソフトウエアＩＤと関連付けられて、そのソフトウエアＩＤが付与された携帯端末１の所有者についての登録傾向情報、視聴番組情報、推定傾向情報などが記録される。
【００４２】
図１６は、本実施形態による視聴情報収集システムの録画情報を含む操作情報についての処理の流れを示すシーケンス図である。
始めに、携帯端末記憶部１２に記憶しているソフトウエアを起動する（ステップＳ３１）。携帯端末入力部１１には、テレビ番組等の録画予約についての録画情報を含む操作情報が入力され、携帯端末記憶部１２に記録される。携帯端末入力部１１から録画情報を含む操作情報を入力する際に、映像表示部１５に表示される画面の一例を図１７に示す。視聴者は、図１７に示すような画面を参照しながら、携帯端末入力部１１を構成するボタンを押下することにより、「録画日」、「録画開始時刻」、「録画終了時刻」、「録画チャンネル」などの録画情報を含む操作情報を入力する。録画情報を含む操作情報を入力する際には、ＥＰＧなどを利用することができる。
【００４３】
携帯端末通信部１３は、携帯端末記憶部１２に記録されている操作情報とともに、ソフトウエアＩＤ、端末通信装置２のＩＰアドレスの情報を、携帯端末ネットワーク９を介して、情報処理装置５に送信する（ステップＳ３２）。
情報処理装置通信部５２ａは、操作情報とソフトウェアＩＤ、ＩＰアドレスの情報を受信し、情報処理装置記憶部５１に記録する（ステップＳ３３）。情報処理装置記憶部５１に記録されるデータの一例を図１８（ａ）に示す。操作情報には、携帯端末入力部１１からＥＰＧなどを利用して入力される、「録画チャンネル」、「録画開始時刻」、「録画終了時刻」などからなる「操作内容」の情報と、その指示を入力した「日時」の情報などが含まれる。
【００４４】
情報処理装置通信部５２は、携帯端末１から受診したＩＰアドレスをもとに操作情報を、通信ネットワーク１０を介して端末通信装置２に送信する（ステップＳ３４）。
操作情報出力部２４は、端末通信装置記憶部２２から録画情報を含む操作情報を読み出し、端末通信装置２と録画装置３を接続するケーブル等を介して録画装置３に送信する（ステップＳ３５）。
録画装置３の録画装置入力部３１は、操作情報出力部２４から出力された操作情報を取得し、録画装置記憶部３３に記録する。番組録画部３４は、録画装置記憶部３３に記録されている操作情報に含まれる録画情報により指定される録画開始時刻と、タイマー３２から出力される現在時刻とを比較し、現在時刻が録画開始時刻を経過した場合に、操作情報に含まれる録画情報により指定される録画チャンネルの番組を番組受信部３６から受信して、録画装置記憶部３３に記録する。また、番組録画部３４は、録画装置記憶部３３に記録されている操作情報に含まれる録画情報により指定される録画終了時刻と、タイマー３２から出力される現在時刻とを比較し、現在時刻が録画終了時刻を経過した場合に、番組受信部３６により受信している録画番組の録画装置記憶部３３の記録を終了する。
【００４５】
情報処理装置通信部５２ｂは、情報処理装置記憶部５１に記録している操作情報とソフトウエアＩＤの情報を、通信ネットワーク１０を介して、データベース装置６に送信する（ステップＳ３６）。
データベース装置６の視聴番組特定部６２は、端末通信装置通信部５２ｂから送信された録画情報を含む操作情報と、テレビ番組表受信部６３が受信するテレビ番組の情報に基づいて、携帯端末１を所持する視聴者が録画予約した番組を特定する（ステップＳ３７）。
データベース装置記憶部６１には、図１８（ｂ）に示すように、コンテンツＩＤと関連付けられて、そのコンテンツＩＤの番組等についての視聴情報が記録される。視聴情報としては、そのコンテンツＩＤの番組等を視聴した視聴者が所持する携帯端末１のソフトウエアＩＤ、その番組等を録画した時間帯などの情報が含まれる。なお、録画した番組を視聴者が視聴した場合に、携帯端末入力部１１から入力される感想情報を含む操作情報を収集して、コンテンツＩＤに関連付けてデータベース装置記憶部６１に記録するようにしてもよい。
【００４６】
視聴番組特定部６２が特定した視聴番組情報は、ソフトウエアＩＤと関連付けられてデータベース装置記憶部６１に記録される（ステップＳ３８）。データベース装置記憶部６１には、図１８（ｃ）に示すように、ソフトウエアＩＤと関連付けて、そのソフトウエアＩＤが付与された携帯端末１の所持する視聴者についての登録傾向情報、視聴番組情報、推定傾向情報などが記録される。
なお、上述した図１６の説明では、録画装置３に番組を録画させるために利用する録画情報を含む操作情報を、携帯端末１から情報処理装置５を介して端末通信装置２に送信する場合について説明したが、このような構成に限定されるものではない。携帯端末１から赤外線を介して端末通信装置２に録画情報を含む操作情報を送信するようにしてもかまわない。
【００４７】
図１９は、本実施形態による視聴情報収集システムの推定傾向情報を推定するための処理の流れを示すシーケンス図である。
始めに、データベース装置６は、定期的に起動され、図１９に示した処理を行う（ステップＳ４１）。なお、図１９に示す処理をリアルタイムで行うようにしてもかまわない。
データベース装置通信部６４は、データベース装置記憶部６１に記録されている登録傾向情報と視聴番組情報とを、通信ネットワーク１０を介して、推定エンジン装置７に送信する（ステップＳ４２）。
推定エンジン装置７の推定傾向情報生成部７１は、データベース装置通信部６４から送信された登録傾向情報と視聴番組情報とに基づいて、推定傾向情報を推定する。推定傾向情報は、通信ネットワーク１０を介してデータベース装置６に送信され、データベース装置記憶部６１に記録される（ステップＳ４３）。データベース装置記憶部６１には、図２０に示すように、ソフトウエアＩＤに関連付けられて、登録傾向情報、視聴番組情報、推定傾向情報が記録される。
【００４８】
図２１は、本実施形態による視聴情報収集システムの視聴情報通知の処理の流れを示すシーケンス図である。
視聴結果収集装置入力部８１には、テレビ番組の制作者等である事業者等の操作によりコンテンツＩＤが入力される。視聴結果収集装置通信部８４は、コンテンツＩＤを通信ネットワーク１０を介して、データベース装置６に送信する（ステップＳ５１）。
データベース装置６は、視聴結果収集装置通信部８４からコンテンツＩＤを受信すると、そのコンテンツＩＤに対応する視聴番組情報、登録傾向情報、推定傾向情報、ソフトウエアＩＤを、データベース装置記憶部６１から読み出す。データベース装置通信部６４は、データベース装置記憶部６１から読み出した視聴番組情報等を、通信ネットワーク１０を介して視聴結果収集装置８に送信する（ステップＳ５２）。
視聴結果収集装置８は、データベース装置通信部６から送信された視聴番組情報、登録傾向情報、推定傾向情報、ソフトウエアＩＤを、視聴結果収集装置記憶部８２に記録する。
【００４９】
視聴情報編集部８３は、視聴結果収集装置記憶部８２に記録されている視聴番組情報等を読み出し、映像表示部８５に表示する情報の編集を行う。例えば、コンテンツＩＤで特定されるテレビ番組を視聴した視聴者の年齢、性別等の分類を行う。映像表示部８５は、視聴番組情報編集部８３が編集した情報を表示画面に表示する。映像表示部８５には、例えば、図２２に示すように、コンテンツＩＤと関連付けられて、「総視聴者数」、「視聴質」、「視聴傾向潜在者数」の情報が表示される。「総視聴者数」は、コンテンツＩＤで特定される番組を視聴した視聴者の総数である。「視聴質」は、視聴者が携帯端末１から感想情報を入力した視聴者数である「回答者数」の情報や、その回答者の中で感想情報として「Ｇｏｏｄ」を入力した視聴者数である「Ｇｏｏｄ回答」の情報を含む。「視聴傾向潜在者数」は、コンテンツＩＤで特定されるテレビ番組等の内容と、データベース装置記憶部６１に記録される登録傾向情報、推定傾向情報などの内容が重複している視聴者の総数を、そのコンテンツＩＤで特定されるテレビ番組等を視聴する可能性があった視聴者であると推定して算出される。
【００５０】
上述した本発明の実施形態による視聴情報収集システムによれば、テレビ番組やテレビＣＭを制作する事業者が、そのテレビ番組等を視聴した視聴者の年齢や性別などの属性情報や、どのような分野に興味があるかについての傾向情報を取得することができるため、それらの情報を基に購買層を特定して広告を配信することができ、広告に要する費用に対しての販売効果を促進することが可能となる。
また、携帯端末１として使用している携帯電話機の登録情報（氏名、性別、生年月日等）を視聴情報を収集する際に使用せず、携帯端末１にソフトウエアを配信する代償として属性情報や登録傾向情報を取得するようにしたため、携帯端末１を所持する視聴者の意図しないところで、登録情報が視聴情報の収集に使用されることを防止することができる。なお、本実施形態では、携帯端末１にソフトウエアを配信する際に、料金を請求しない場合について説明したが、ソフトウエアの配信を有料で行うこともできる。
【００５１】
また、上述した実施形態では、テレビ装置４にテレビ番組やテレビＣＭが１画面だけ表示される場合について説明したが、このような構成に限定されるものではない。例えば、図２３に示すように、映像表示部４５の表示画面を画面ａ１〜ａ６に６分割し、画面ａ１ではテレビ番組を表示し、画面ａ２〜ａ６では携帯端末１を所持する視聴者の登録傾向情報や推定傾向情報に基づいたテレビＣＭを配信し、視聴者が携帯端末１の携帯端末入力部１１から画面ａ１〜ａ５のいずれかの画面を選択して、「Ｇｏｏｄ」や「Ｂａｄ」などの感想情報を送信できるようにしてもよい。
【００５２】
また、上述した実施形態では、視聴結果収集装置８の視聴番組情報編集部８３において映像表示部８５に表示する情報の編集を行う場合について説明したが、このような構成に限定されるものではない。例えば、映像表示部８５に表示する情報の編集をデータベース装置６の内部で行ってもよい。
また、上述した実施形態では、複数台の携帯端末１をソフトウエアＩＤにより識別する場合について説明したが、このような構成に限定されるものではない。例えば、端末通信装置２に識別番号を付与し、この識別番号とソフトウエアＩＤを組み合わせて携帯端末１を識別するようにすれば、ソフトウエアＩＤとして使用する数字等の桁数を減らすことができる。
【００５３】
なお、以上説明した実施形態において、携帯端末入力部１１、タイマー３２、映像切替部４３、ソフトウエアＩＤ生成部５３、視聴番組情報特定部６２、推定傾向情報生成部７１、視聴番組情報編集部８３の機能を実現するためのプログラムをコンピュータ読み取り可能な記録媒体に記録して、この記録媒体に記録されたプログラムをコンピュータシステムに読み込ませ、実行することにより視聴情報収集システムの制御を行ってもよい。なお、ここでいう「コンピュータシステム」とは、ＯＳや周辺機器等のハードウェアを含むものとする。
【００５４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５６】
【図１】本発明の実施形態による視聴情報収集システムの概略構成図である。
【図２】本実施形態による携帯端末１の構成を示すブロック図である。
【図３】本実施形態による端末通信装置２の構成を示すブロック図である。
【図４】本実施形態による録画装置３の構成を示すブロック図である。
【図５】本実施形態によるテレビ装置４の構成を示すブロック図である。
【図６】本実施形態による情報処理装置５の構成を示すブロック図である。
【図７】本実施形態によるデータべース装置６の構成を示すブロック図である。
【図８】本実施形態による推定エンジン装置７の構成を示すブロック図である。
【図９】本実施形態による視聴結果収集装置８の構成を示すブロック図である。
【図１０】本実施形態による視聴情報収集システムの登録処理の流れを示すシーケンス図である。
【図１１】携帯端末入力部１１から属性情報を入力する際に、映像表示部１５に表示される画面の一例を示す図である。
【図１２】データベース装置記憶部６１に記録されるデータの一例を示す図である。
【図１３】本実施形態による視聴情報収集システムの指示情報を含む操作情報についての処理の流れを示すシーケンス図である。
【図１４】端末送信装置記憶部２２、データベース装置記憶部６１に記録されるデータの一例である。
【図１５】携帯端末入力部１１から感想情報を含む操作情報を入力する際に、携帯端末１の映像表示部１５に表示される画面の一例である。
【図１６】本実施形態による視聴情報収集システムの録画情報を含む操作情報についての処理の流れを示すシーケンス図である。
【図１７】携帯端末入力部１１から録画情報を含む操作情報を入力する際に、映像表示部１５に表示される画面の一例である。
【図１８】情報処理装置記憶部５１、データベース装置記憶部６１に記録されるデータの一例である。
【図１９】本実施形態による視聴情報収集システムの推定傾向情報を推定するための処理の流れを示すシーケンス図である。
【図２０】データベース装置記憶部６１に記録されるデータの一例である。
【図２１】本実施形態による視聴情報収集システムの視聴情報通知の処理の流れを示すシーケンス図である。
【図２２】視聴結果収集装置８の映像表示部８５に表示されるデータの一例である。
【図２３】テレビ装置４の映像表示部４５の表示画面を６分割する場合の一例を示す図である。
【符号の説明】
【００５７】
１・・・携帯端末、２・・・端末通信装置、３・・・録画装置、４・・・テレビ装置、５・・・情報処理装置、６・・・データベース装置、７・・・推定エンジン装置、８・・・視聴結果収集装置、９・・・携帯端末ネットワーク、１０・・・通信ネットワーク、１１・・・携帯端末入力部、１２・・・携帯端末記憶部、１３・・・携帯端末通信部、１４・・・赤外線送信部、１５・・・映像表示部、２１・・・赤外線受信部、２２・・・端末通信装置記憶部、２３・・・端末通信装置通信部、２４・・・操作情報出力部、３１・・・録画装置入力部、３２・・・タイマー、３３・・・録画装置記憶部、３４・・・番組録画部、３５・・・録画番組出力部、３６・・・放送波受信部、４１・・・録画番組入力部、４２・・・操作情報入力部、４３・・・映像切替部、４４・・・放送波受信部、４５・・・映像表示部、５１・・・情報処理装置記憶部、５２ａ、５２ｂ・・・情報処理装置通信部、５３・・・ソフトウエアＩＤ生成部、６１・・・データベース装置記憶部、６２・・・視聴番組情報特定部、６３・・・テレビ番組表取得部、６４・・・データベース装置通信部、７１・・・推定傾向情報生成部、７２・・・推定エンジン装置通信部、８１・・・視聴結果収集装置入力部、８２・・・視聴結果収集装置記憶部、８３・・・視聴番組情報編集部、８４・・・視聴結果収集装置通信部、８５・・・映像表示部
【図１】
2006186664.tif 000003
【図２】
2006186664.tif 000004
【図３】
2006186664.tif 000005
【図４】
2006186664.tif 000006
【図５】
2006186664.tif 000007
【図６】
2006186664.tif 000008
【図７】
2006186664.tif 000009
【図８】
2006186664.tif 000010
【図９】
2006186664.tif 000011
【図１０】
2006186664.tif 000012
【図１１】
2006186664.tif 000013
【図１２】
2006186664.tif 000014
【図１３】
2006186664.tif 000015
【図１４】
2006186664.tif 000016
【図１５】
2006186664.tif 000017
【図１６】
2006186664.tif 000018
【図１７】
2006186664.tif 000019
【図１８】
2006186664.tif 000020
【図１９】
2006186664.tif 000021
【図２０】
2006186664.tif 000022
【図２１】
2006186664.tif 000023
【図２２】
2006186664.tif 000024
【図２３】
2006186664.tif 000025